(57)【要約】【課題】プラスチック成形品として、比較的安価に精度よく製造でき、書類の安定した綴じ込みが可能であるファイル用綴じ具を提供する。【解決手段】上面が開口した箱型本体１と、これに着脱自在なコの字形の棒状留め具２からなるものであって、箱型本体１の前面壁３が左右側壁４ａ、４ｂの先端部に着脱自在となっている。また、左右側壁４ａ、４ｂの上方には、底面に平行して、前面壁側が開放した一対の溝５ａ、５ｂが設けられており、前記棒状留め具２の脚６がこの溝５ａ、５ｂに挿入して、移動可能となっている。【選択図】　図１
2004034544.tif 000002
【特許請求の範囲】
【請求項１】
上面が開口した箱型本体と、該本体に着脱自在な実質的にコの字形の棒状留め具からなるものであって、上記箱型本体の前面壁が左右側壁の先端部に着脱自在となっており、かつ左右側壁上方には、一対の溝が、底面に平行して長手方向に延びるように設けられており、該溝の前面壁側の端部は開放状態となっており、該溝に前記棒状留め具の脚を挿入して、前記棒状留め具が移動可能であること、及び前記左右側壁は、前記溝の下方が、実質的に底面が開口した二重壁となっていることを特徴とするファイル用綴じ具。
【請求項２】
前記箱型本体の底裏面に筋状突起が設けられていることを特徴とする請求項１のファイル用綴じ具。
【請求項３】
前記側壁の前端部に、底面を有する空洞部が設けられており、前記前面壁が、前記箱型本体の前面を覆う前板の内側下方両側に一対の突出部を有するものであり、前記突出部を前記空洞部に挿入することにより、前面壁が箱型本体に装着されるようになっていることを特徴とする請求項１又はのファイル用綴じ具。
【請求項４】
前記空洞部の内壁に窓が存在し、該窓に前記突出部の先端部が係止するようになっている請求項３のファイル用綴じ具。
【発明の詳細な説明】
【０００１】
【発明の属する技術分野】
本発明は、プラスチックの射出成形で製造できる扱い易いファイル用綴じ具に関する。
【０００２】
【従来の技術】
ファイル用綴じ具としては、実開昭４７−２２０４号公報、実用新案登録第３０７４３７４号公報、特開昭５０−４１６２２号公報等に開示されるように、多くの開発が試みられている。
また、特に、最近ではプラスチック製のものが多く見られるが、厚手のパンフレット等の書類を、効率よく綴じ込み、安定して、耐久性よく保持でき、しかも、必要に応じて、書類を、綴じ具から外して、該綴じ具を新たな書類のファイリングに使用可能とするものは少なかった。
【０００３】
【発明が解決しようとする課題】
本発明は、プラスチック成形品として、比較的安価に精度よく製造でき、書類の安定した綴じ込みが可能であるファイル用綴じ具を提供することを課題とする。
【０００４】
【課題を解決するための手段】
本発明では、ファイル用綴じ具を、上面が開口した箱型本体と、該本体に着脱自在な実質的にコの字形の棒状留め具からなるものとし、この箱型本体の前面壁を左右側壁の先端部に着脱自在とし、更に、左右側壁上方には、一対の溝が、底面に平行して長手方向に延びるように設けられており、該溝の前面壁側の端部は開放状態となっており、該溝に前記棒状留め具の脚を挿入して、前記棒状留め具が移動可能となっていること、及び前記左右側壁は、前記溝の下方が、実質的に底面が開口した二重壁となっていることを特徴とする。
【０００５】
かかる本発明の製品は、前記棒状留め具を複数個準備し、これらを書類等の綴じ穴に通して、予め書類等をファイルした後、該棒状留め具の脚を箱型本体の溝に通し、適宜移動して、書類等を定位置にもたらし、その後、箱型本体の前面に前面壁を装着して、溝を閉鎖して、安定して書類等を保持できるものである。
【０００６】
分厚い書類等を安定して保持するためには、箱型本体の底裏面に、補強のために筋状突起を設けるのが好ましい。また、前面壁の装着手段としては、側壁の前端部に、底面を有する空洞部を設け（即ち、前記二重壁の先端部を底面のある空洞部とし）、前面壁を箱型本体の前面を覆う前板と該前板の内側下方に設けた一対の突出部からなるものとし、この突出部を前記空洞部に挿入することにより、前面壁が箱型本体に装着されるようにするのがよい。
【０００７】
更に、前記空洞部の内壁に窓すなわち開口部を設け、該窓に前記突出部の先端部が係止するようにすることによって、前面壁を箱型本体に安定して固定して、確実に書類等をファイリング保持可能とでき、しかも、この場合、固定した前面壁を、窓から突出部を外向きに押して、箱型本体から引き離すことも可能である。
【０００８】
【発明の実施の形態】
次に、本発明の実施例を図面に従って説明する。
図１の製品は、ポリエステル樹脂成形体からなるものであり、上面が開口した箱型本体１と、これに着脱自在なコの字形の棒状留め具２からなるものであって、箱型本体１の前面壁３が左右側壁４ａ、４ｂの先端部に着脱自在となっている。また、左右側壁４ａ、４ｂの上方には、底面に平行して、前面壁側が開放した一対の溝５ａ、５ｂが設けられており、前記棒状留め具２の脚６がこの溝５ａ、５ｂに挿入して、移動可能となっている。
【０００９】
なお、箱型本体１の底裏面には滑り止めと補強のため、筋状突起７が設けられており、かつ左右側壁４ａ、４ｂは、溝５ａ、５ｂの下方が、実質的に底面が開口した二重壁となっており、二重壁の間には、一定間隔で補強のための桟８が設けられている（図２参照）。
【００１０】
箱型本体１の前面壁３は、箱型本体の前面を覆う前板９の内側下方両側に一対の突出部１０を設けたもので、この突出部１０を、箱型本体１の側壁４ａ、４ｂの前端部に設けた底面１１を有する空洞部１２に挿入して固定できるようになっている。なお、箱型本体１の空洞部１２には、内壁に窓１３が設けられており、前面壁３の突出部１０の内壁に切り欠き１３が設けられていて、空洞部１２に突出部１０を挿入した際に、空洞部１２の内壁の窓１３に、前面壁１３の突出部１０の切り欠き１３が噛み合って、前面壁３が定位置に固定されるようになっている。
【００１１】
前面壁３を箱型本体１から外す時は、窓１３から、突出部１０を外側に押しつけ空洞部１２から突出部１０を引き出すことができる。
【００１２】
かかる製品は、プラスチックの射出成形で製造可能であるので、非常に効率よく、安価に製造できる。
【００１３】
なお、この製品は、複数個の棒状留め具２を準備し、これらを書類等の綴じ穴に通して、予め書類等を所望のファイルに形成し、その後、箱型本体１の溝５ａ、５ｂに、棒状留め具２の脚６を挿入し、スライドさせて箱型本体１に固定し、前面壁３で溝５ａ、５ｂを閉鎖することにより、書類等を安定して綴じ込むことが可能となる（図３参照）。
【００１４】
かかる本発明の綴じ具は、バインダーの表紙の背に、箱型本体１の底面を留め付けて使用することが可能である。
【００１５】
【発明の効果】
本発明の製品は、プラスチックの射出成形で容易に製造でき、しかも壁面が二重壁からなるため、形状安定性及び強度共に優れ、非常に扱い易いものである。また、前面壁を、書類綴じ込み後（棒状留め具２の脚６を溝５ａ、５ｂに通して書類等を定位置に置いた後）、箱型本体に装着することによって、書類等を安定して保持可能となる。
また、本発明では、箱型本体の底面裏面に筋状突起を設けて、軽量でありながら、より形状安定性に優れた製品とすることもできる。
更に、側壁の前端部に、底面を有する空洞部が設け、この空洞部を利用して、前面壁を固定可能とすることにより、非常に操作性よく、前面壁の取り付けが可能となる。
【図面の簡単な説明】
【図１】図１は、本発明の製品の使用前の状態を示す斜視図である。
【図２】図２は、図１の製品の箱型本体の裏面を示す斜視図である。
【図３】図３は、図１の製品の各部品を装着した状態を示す斜視図である。
【符号の説明】
１　　箱型本体
２　　棒状留め具
３　　前面壁
４ａ、４ｂ　側壁
５ａ、５ｂ　溝
６　　脚
７　　筋状突起
８　　桟
９　　前板
１０　突出部
１１　底面
１２　空洞部
１３　窓
【図１】
2004034544.tif 000003
【図２】
2004034544.tif 000004
【図３】
2004034544.tif 000005